(57)【要約】【課題】リードナレーション機能の実行中に着信があった場合に、利用者が望む対応を支援する携帯端末を提供する。【解決手段】カラオケ装置においてカラオケ演奏を行う際、各歌唱区間のカラオケ演奏開始前に、各歌唱区間に対応する歌詞を事前に報知するリードナレーション機能を実行する実行部と、リードナレーション機能の実行中にあった着信を受けるかどうかを示す着信対応情報を設定する情報設定部と、リードナレーション機能の実行中に着信があった場合、着信対応情報に応じて、リードナレーション機能の実行を停止するよう実行部を制御する機能制御部と、を有する携帯端末。【選択図】図３
2019174613.tif 000002
【特許請求の範囲】
【請求項１】
カラオケ装置と通信可能に接続される携帯端末であって、
前記カラオケ装置においてカラオケ演奏を行う際、各歌唱区間のカラオケ演奏開始前に、各歌唱区間に対応する歌詞を事前に報知するリードナレーション機能を実行する実行部と、
前記リードナレーション機能の実行中にあった着信を受けるかどうかを示す着信対応情報を設定する情報設定部と、
前記リードナレーション機能の実行中に着信があった場合、前記着信対応情報に応じて、前記リードナレーション機能の実行を停止するよう前記実行部を制御する機能制御部と、
を有する携帯端末。
【請求項２】
前記カラオケ装置に対し、前記カラオケ演奏に関する指示を出力する演奏指示部を有し、
前記機能制御部は、前記リードナレーション機能の実行を停止する場合、前記カラオケ演奏を中止する指示を出力するよう前記演奏指示部を制御することを特徴とする請求項１記載の携帯端末。
【請求項３】
前記情報設定部は、前記携帯端末に登録されている電話番号毎に前記着信対応情報を設定することを特徴とする請求項１または２記載の携帯端末。
【請求項４】
前記情報設定部は、着信を受ける時刻に応じて前記着信対応情報を設定することを特徴とする請求項１〜３のいずれか一つに記載の携帯端末。
【請求項５】
カラオケ装置と通信可能に接続される携帯端末で実行されるプログラムであって、
前記携帯端末を、
前記カラオケ装置においてカラオケ演奏を行う際、各歌唱区間のカラオケ演奏開始前に、各歌唱区間に対応する歌詞を事前に報知するリードナレーション機能を実行する実行部、
前記リードナレーション機能の実行中にあった着信を受けるかどうかを示す着信対応情報を設定する情報設定部、
前記リードナレーション機能の実行中に着信があった場合、前記着信対応情報に応じて、前記リードナレーション機能の実行を停止するよう前記実行部を制御する機能制御部、
として機能させるためのプログラム。
【発明の詳細な説明】
【技術分野】
【０００１】
本発明は携帯端末、及び携帯端末で実行されるプログラムに関する。
【０００２】
カラオケ歌唱を行う際、利用者が所有する携帯端末を用い、カラオケ装置に対して各種指示を実行する技術が知られている。たとえば、携帯端末とカラオケ装置とをペアリングすることにより、携帯端末をリモコン装置として用いることができる。
【０００３】
また、特許文献１には、カラオケ装置においてカラオケ演奏を行う際、携帯端末を介して各歌唱区間に対応する歌詞を事前に報知する機能（以下、「リードナレーション機能」）を備えたシステムが開示されている。
【先行技術文献】
【特許文献】
【０００４】
【特許文献１】特開２０１５−０１１２４４号公報
【発明の概要】
【発明が解決しようとする課題】
【０００５】
ところで、携帯端末は電話機能を有するものがある。このような携帯端末においてリードナレーション機能を実行する場合、その最中に着信がある可能性もある。
【０００６】
本発明の目的は、リードナレーション機能の実行中に着信があった場合に、利用者が望む対応を支援する携帯端末、及びプログラムを提供することにある。
【課題を解決するための手段】
【０００７】
上記目的を達成するための主たる発明は、カラオケ装置と通信可能に接続される携帯端末であって、前記カラオケ装置においてカラオケ演奏を行う際、各歌唱区間のカラオケ演奏開始前に、各歌唱区間に対応する歌詞を事前に報知するリードナレーション機能を実行する実行部と、前記リードナレーション機能の実行中にあった着信を受けるかどうかを示す着信対応情報を設定する情報設定部と、前記リードナレーション機能の実行中に着信があった場合、前記着信対応情報に応じて、前記リードナレーション機能の実行を停止するよう前記実行部を制御する機能制御部と、を有する携帯端末である。
本発明の他の特徴については、後述する明細書及び図面の記載により明らかにする。
【発明の効果】
【０００８】
本発明によれば、リードナレーション機能の実行中に着信があった場合に、利用者が望む対応を支援できる。
【図面の簡単な説明】
【０００９】
【図１】第１実施形態に係る携帯端末及びカラオケ装置を示した概略図である。
【図２】第１実施形態に係る携帯端末のハードウェア構成を示す図である。
【図３】第１実施形態に係る携帯端末のソフトウェア構成を示す図である。
【図４】第１実施形態に係る着信対応情報を示す図である。
【図５】第１実施形態に係る携帯端末の動作を示すフローチャートである。
【図６】第２実施形態に係る着信対応情報を示す図である。
【図７】第２実施形態に係る携帯端末の動作を示すフローチャートである。
【発明を実施するための形態】
【００１０】
＜第１実施形態＞
図１〜図５を参照して、第１実施形態について説明する。図１に示すように、本実施形態では、利用者Ｕ１及び利用者Ｕ２がカラオケ装置Ｋを使用してカラオケ歌唱を行う場合を例に説明する。
【００１１】
カラオケ装置Ｋは、利用者が選曲した楽曲のカラオケ演奏、及び利用者がカラオケ歌唱を行うための装置である。また、本実施形態に係るカラオケ装置Ｋは、各携帯端末においてリードナレーション機能を実行するためのデータを提供する（後述）。
【００１２】
利用者Ｕ１は携帯端末Ｍ１を所有しており、利用者Ｕ２は携帯端末Ｍ２を所有している。各携帯端末は、電話機能を有する一般的なスマートフォン等である。各携帯端末には、カラオケ歌唱の際に使用する専用アプリケーションソフトウェア（以下、「カラオケアプリ」）がインストールされている。カラオケアプリは、サーバ（図示無し）や、サーバが提供するＷｅｂサイトからダウンロードすることで入手できる。
【００１３】
各携帯端末とカラオケ装置Ｋは、ペアリングされることで互いに通信可能となる。ペアリングは公知の手法を利用することができる。ペアリングは、たとえば、カラオケ装置Ｋが設置されたカラオケルームへの入室後、カラオケアプリを起動させた場合に実行される。ペアリングされた後、利用者は、カラオケアプリを利用して、たとえばカラオケ装置Ｋに付属するリモコン装置と同様の操作（楽曲の予約等）を行うことができる。また、本実施形態において、利用者は、カラオケアプリを利用してリードナレーション機能を実行できる（後述）。なお、携帯端末Ｍ１及び携帯端末Ｍ２は、同様の構成（機能）を備えるため、以下では携帯端末Ｍ１を例に説明を行う。
【００１４】
＝＝携帯端末＝＝
図２に示すように、携帯端末Ｍ１は、記憶部１０、通信部１１、表示部１２、入力部１３、放音部１４、及び制御部１５を備える。
【００１５】
［記憶部、通信部、表示部、入力部、通話部］
記憶部１０は、各種のデータを記憶する大容量の記憶装置である。本実施形態に係る記憶部１０は、着信対応情報（後述）を記憶する。通信部１１は、ペアリングされたカラオケ装置Ｋとの接続を行うためのインターフェースを提供する。表示部１２は、各種情報を表示させるディスプレイである。入力部１３は、利用者Ｕ１が各種指示入力を行うための構成である。入力部１３は、たとえば、利用者Ｕ１からの音声入力を受け付けるためのマイクや、利用者Ｕ１が各情報を入力するための操作ボタンである。表示部１２をタッチパネル形式で構成し、入力部１３として用いてもよい。放音部１４は、たとえば、携帯端末Ｍ１に備えられたスピーカである。
【００１６】
［制御部］
制御部１５は、携帯端末Ｍ１における各種の制御を行う。制御部１５は、ＣＰＵおよびメモリ（いずれも図示無し）を備える。ＣＰＵは、メモリに記憶されたプログラムを実行することにより各種の機能を実現する。
【００１７】
図３は携帯端末Ｍ１のソフトウェア構成例を示す図である。制御部１５は、実行部１００、情報設定部２００、演奏指示部３００、及び機能制御部４００として機能する。
【００１８】
（実行部）
実行部１００は、カラオケ装置においてカラオケ演奏を行う際、各歌唱区間のカラオケ演奏開始前に、各歌唱区間に対応する歌詞を事前に報知するリードナレーション機能を実行する。
【００１９】
リードナレーション機能は、たとえば、特開２０１５−１１２４４号公報に記載の技術を利用できる。リードナレーション機能を利用することにより、他の利用者（聴衆）に気づかれることなく、カラオケ歌唱を行う利用者本人にのみ歌詞を報知できる。また、特開２０１５−１１２４４号公報に記載の技術のように、音声で歌詞を報知することにより、視覚に障害を持つ利用者に対する歌唱支援を行うこともできる。更に、利用者本人に歌詞を報知することで、カラオケ装置Ｋの表示装置に歌詞テロップを表示する必要が無い。従って、聴衆は表示装置に表示される映像を楽しむことができる。
【００２０】
本実施形態におけるリードナレーション機能の実行について説明する。利用者Ｕ１は、カラオケ装置Ｋが設置されている部屋に入室後、携帯端末Ｍ１でカラオケアプリを起動させる。カラオケアプリの起動により、カラオケ装置Ｋと携帯端末Ｍ１はペアリングされる。その後、利用者Ｕ１は、リモコン装置または携帯端末Ｍ１を介して楽曲Ｘのカラオケ歌唱の予約を行う。また、この際、利用者Ｕ１は、カラオケアプリ上でリードナレーション機能の使用を選択する。当該選択に応じて、実行部１００は、ペアリングされているカラオケ装置Ｋに対し、リードナレーション用データの送信を要求する。
【００２１】
リードナレーション用データの送信要求を受けたカラオケ装置Ｋは、楽曲Ｘの歌詞テロップデータから、当該歌詞を音声として出力可能とする歌詞音声データを作成し、楽曲Ｘの各歌唱区間のカラオケ演奏が開始される前に携帯端末Ｍ１に送信する。なお、カラオケ装置Ｋは、カラオケ演奏が開始される前に全ての歌詞音声データを一括で送信してもよいし、カラオケ演奏の進行に応じて、歌唱区間毎の歌唱音声データを順次送信してもよい。
【００２２】
実行部１００は、受信した歌詞音声データに基づいて、歌唱区間に対応する歌詞を放音部１４から放音させる。なお、リードナレーション用データは、歌詞音声データでは無く、歌詞テロップデータそのものでもよい。この場合、実行部１００は、歌詞テロップデータに基づいて表示部１２に歌詞を表示させることにより、リードナレーション機能を実行する。また、リードナレーション用データとして、歌詞音声データ及び歌詞テロップデータを用いてもよい。この場合、実行部１００は歌詞音声データに基づいて放音部１４から歌詞を放音させ、且つ歌詞テロップデータに基づいて表示部１２に歌詞を表示させる。
【００２３】
（情報設定部）
情報設定部２００は、リードナレーション機能の実行中にあった着信を受けるかどうかを示す着信対応情報を設定する。
【００２４】
各携帯端末は電話機能を有するため、リードナレーション機能の実行中に着信がある可能性がある。情報設定部２００は、この際に着信を受けるかどうかを示す着信対応情報を設定する。
【００２５】
具体的に、情報設定部２００は、携帯端末に登録されている電話番号毎に着信対応情報を設定する。
【００２６】
たとえば、携帯端末Ｍ１の電話帳に１００名の電話番号が登録されているとする。この場合、情報設定部２００は、利用者Ｕ１からの指示入力に基づいて、電話番号毎に着信があった場合にその着信を受けるか、受けないかを設定する。図４は、設定された着信対応情報のリストの例を示す。図４によれば、知人女性Ｗ等、リードナレーション機能の実行中であっても着信を受けたい相手２０名に対し、「優先」が登録されている。一方、上司Ｂ等、リードナレーション機能の実行中には着信を拒否したい相手８０名に対し、「無視」が登録されている。
【００２７】
設定された着信対応情報のリストは記憶部１０に記憶される。なお、利用者Ｕ１は、一端設定された着信対応情報について、カラオケアプリ上で変更することも可能である。
【００２８】
（演奏指示部）
演奏指示部３００は、カラオケ装置Ｋに対し、カラオケ演奏に関する指示を出力する。たとえば、利用者Ｕ１は、楽曲Ｘを予約した後、入力部１３を介して演奏開始の指示入力を行う。演奏指示部３００は、当該指示入力に応じて、カラオケ装置Ｋに対し、カラオケ演奏を開始するよう指示を出力する。或いは、楽曲Ｘのカラオケ演奏を中止したい場合、利用者Ｕ１は、入力部１３を介して演奏中止の指示入力を行う。演奏指示部３００は、当該指示入力に応じて、カラオケ装置Ｋに対し、カラオケ演奏を中止するよう指示を出力する。
【００２９】
（機能制御部）
機能制御部４００は、リードナレーション機能の実行中に着信があった場合、着信対応情報に応じて、リードナレーション機能の実行を停止するよう実行部１００を制御する。
【００３０】
たとえは、利用者Ｕ１がリードナレーション機能を利用して楽曲Ｘのカラオケ歌唱を行っているとする。そして、リードナレーション機能の実行中、携帯端末Ｍ１に知人女性Ｗから着信があったとする。この場合、機能制御部４００は、着信があった電話番号を、記憶部１０に記憶された着信対応情報のリストから特定する。機能制御部４００は、特定された電話番号に対応付けられた着信対応を参照する。図４の例によれば、知人女性Ｗの着信対応は「優先」である。この場合、機能制御部４００は、リードナレーション機能の実行を停止するよう実行部１００に指示を行う。実行部１００は、当該指示に基づいてリードナレーション機能の実行を停止する。リードナレーション機能が停止されたことにより、利用者Ｕ１は、携帯端末Ｍ１に着信を受けたい相手から着信があったことを把握できる。
【００３１】
一方、リードナレーション機能の実行中、携帯端末Ｍ１に上司Ｂから着信があったとする。図４の例によれば、上司Ｂの着信対応は「無視」である。この場合、機能制御部４００は、実行部１００に対して特段の指示を行わない。従って、実行部１００は、引き続きリードナレーション機能の実行を行う。
【００３２】
また、機能制御部４００は、リードナレーション機能の実行を停止する場合、カラオケ演奏を中止する指示を出力するよう演奏指示部３００を制御することも可能である。
【００３３】
上記例において、知人女性Ｗから着信があった場合、機能制御部４００は、リードナレーション機能の実行を停止するよう実行部１００に指示を行う。この際、機能制御部４００は、カラオケ演奏を中止する指示を出力するよう演奏指示部３００に指示を行う。当該指示を受け、演奏指示部３００は、カラオケ装置Ｋに対し、楽曲Ｘのカラオケ演奏を中止させる指示を自動的に送信する。カラオケ装置Ｋは、当該指示に基づいてカラオケ演奏を中止する。なお、機能制御部４００は、リードナレーション機能の実行を停止する場合、更に所定の条件を満たした場合にのみカラオケ演奏を中止する指示を出力するよう演奏指示部３００を制御してもよい。所定の条件は、たとえば、カラオケ演奏が１番のサビまで行われたかどうか等、カラオケ演奏の進行状況に基づいて設定できる。
【００３４】
なお、予め設定された着信対応情報に含まれない電話番号から着信がある場合もありうる。この場合、機能制御部４００は、リードナレーション機能の実行を停止させてもよいし、引き続きリードナレーション機能を実行させてもよい。
【００３５】
＝＝携帯端末における処理について＝＝
次に、図５を参照して本実施形態に係る携帯端末Ｍ１における動作の具体例について述べる。図５は、携帯端末Ｍ１における動作例を示すフローチャートである。利用者Ｕ１が所有する携帯端末Ｍ１とカラオケ装置Ｋとはペアリングされており、互いに通信可能になっている。また、利用者Ｕ１は、楽曲Ｘのカラオケ歌唱を予約し、且つ携帯端末Ｍ１でリードナレーション機能の実行を選択したとする。また、以下の説明では、リードナレーション機能の実行を停止させる例について述べる。
【００３６】
カラオケ装置Ｋにおいて楽曲Ｘのカラオケ演奏が開始された後、実行部１００は、カラオケ装置Ｋ１から受信する歌詞音声データに基づいて、リードナレーション機能を実行する（リードナレーション機能の実行。ステップ１０）。実行部１００は、カラオケ演奏が終了するまで（ステップ１１でＹの場合）、歌詞音声データに基づくリードナレーション機能を実行する。なお、携帯端末Ｍ１は、カラオケ装置Ｋから受信するカラオケ演奏終了を示す信号に基づいてカラオケ演奏の終了を判断してもよいし、歌詞音声データが所定時間受信されない場合にカラオケ演奏が終了したと判断してもよい。
【００３７】
リードナレーション機能の実行中に携帯端末Ｍ１に着信があった場合（ステップ１２でＹの場合）、機能制御部４００は、着信を受けた電話番号に対応する電話番号を、記憶部１０に記憶された着信対応情報のリストから特定する。機能制御部４００は、特定された電話番号に対応付けられた着信対応を参照する（着信対応情報を参照。ステップ１３）。
【００３８】
着信対応が「優先」の場合（ステップ１４でＹの場合）、機能制御部４００は、リードナレーション機能の実行を停止するよう実行部１００に指示を行う（機能停止を指示。ステップ１５）。実行部１００は、当該指示に基づいてリードナレーション機能の実行を停止する（機能の停止。ステップ１６）。なお、カラオケ演奏が終了した場合（ステップ１１でＹの場合）にも、実行部１００はリードナレーション機能を停止する。また、着信対応が「無視」の場合（ステップ１４でＮの場合）、機能制御部４００は、実行部１００に対して特段の指示を行わない。従って、実行部１００は、リードナレーション機能の実行を継続する。
【００３９】
以上から明らかなように、本実施形態に係る携帯端末Ｍ１は、カラオケ装置Ｋと通信可能に接続される。携帯端末Ｍ１は、カラオケ装置Ｋにおいてカラオケ演奏を行う際、各歌唱区間のカラオケ演奏開始前に、各歌唱区間に対応する歌詞を事前に報知するリードナレーション機能を実行する実行部１００と、リードナレーション機能の実行中にあった着信を受けるかどうかを示す着信対応情報を設定する情報設定部２００と、リードナレーション機能の実行中に着信があった場合、着信対応情報に応じて、リードナレーション機能の実行を停止するよう実行部１００を制御する機能制御部４００とを有する。
【００４０】
このような携帯端末Ｍ１によれば、リードナレーション機能の実行中に着信があった場合に、利用者が設定した着信対応情報に基づいて、リードナレーション機能を停止するか継続するかを自動的に決定できる。利用者が着信を受けたい相手から着信があった場合、リードナレーション機能が停止されるため、利用者は着信を受けたい相手から着信があったことを把握でき、すぐに着信を受けることができる。一方で、利用者が着信を拒否したい相手から着信があった場合、リードナレーション機能は継続されるため、利用者は着信に邪魔されることなくカラオケ歌唱を継続できる。すなわち、本実施形態に係る携帯端末Ｍ１によれば、リードナレーション機能の実行中に着信があった場合、利用者が望む対応（着信を受ける、または着信を受けない）を支援できる。
【００４１】
なお、この場合、カラオケ装置Ｋは、リードナレーション機能を停止した場合であってもカラオケ演奏を継続することができる。そのため、着信を受けた利用者Ｕ１以外の利用者Ｕ２が引き続きカラオケ歌唱を行うことも可能である。
【００４２】
一方、携帯端末Ｍ１は、カラオケ装置Ｋに対し、カラオケ演奏に関する指示を出力する演奏指示部３００を有し、機能制御部４００は、リードナレーション機能の実行を停止する場合、カラオケ演奏を中止する指示を出力するよう演奏指示部３００を制御することも可能である。
【００４３】
このような携帯端末Ｍ１によれば、リードナレーション機能だけでなくカラオケ演奏を中止させることもできる。従って、利用者は着信を受けたい相手から着信があったことをより確実に把握できる。
【００４４】
また、情報設定部２００は、携帯端末に登録されている電話番号毎に着信対応情報を設定することができる。この場合、携帯端末Ｍ１は、リードナレーション機能の実行中に着信を受けたい相手と着信を拒否したい相手とを電話番号毎に区別して記憶できる。
【００４５】
更に、本実施形態におけるプログラムは、カラオケ装置Ｋと通信可能に接続される携帯端末Ｍ１において実行される。当該プログラムは、携帯端末Ｍ１を、カラオケ装置Ｋにおいてカラオケ演奏を行う際、各歌唱区間のカラオケ演奏開始前に、各歌唱区間に対応する歌詞を事前に報知するリードナレーション機能を実行する実行部１００、リードナレーション機能の実行中にあった着信を受けるかどうかを示す着信対応情報を設定する情報設定部２００、リードナレーション機能の実行中に着信があった場合、着信対応情報に応じて、リードナレーション機能の実行を停止するよう実行部１００を制御する機能制御部４００、として機能させる。このようなプログラムによれば、携帯端末Ｍ１においてリードナレーション機能の実行中に着信があった場合、利用者が望む対応（着信を受ける、または着信を受けない）を支援できる。
【００４６】
＜第２実施形態＞
次に、図６及び図７を参照して、第２実施形態に係る携帯端末Ｍ１について説明する。本実施形態では、着信を受ける時刻に応じてリードナレーション機能の実行を停止または継続する例について述べる。第１実施形態と同様の構成については詳細な説明を省略する。
【００４７】
（情報設定部）
本実施形態に係る情報設定部２００は、着信を受ける時刻に応じて着信対応情報を設定する。
【００４８】
情報設定部２００は、利用者Ｕ１からの指示入力に基づいて、電話番号毎に着信があった場合にその着信を受けるか、受けないかを設定する。このような設定を行う際、利用者Ｕ１は、着信を受ける時刻を併せて入力できる。情報設定部２００は、当該入力に応じて、ある電話番号について、個別に着信を受ける時刻を設定することができる。着信を受ける時刻は、利用者が着信を受けてもよい（或いは着信を拒否したい）と考える具体的な時刻である。図６は、設定された着信対応情報のリストの例を示す。図６によれば、知人女性Ｗ等、リードナレーション機能の実行中であっても着信を受けたい相手２０名に対し、「優先」が登録されている。一方、上司Ｂ１等、リードナレーション機能の実行中には着信を拒否したい相手８０名に対し、「無視」が登録されている。ここで、一部の相手（上司Ｂ１及び上司Ｂ２等）については、着信を受ける時刻に応じて着信対応が登録されている。具体的に、上司Ｂ１及び上司Ｂ２については、「１９：００以降、無視」という着信対応が登録されている。この場合、上司Ｂ１及び上司Ｂ２については、１９：００以前であれば着信を受ける（すなわち、「優先」）ものとして扱われる。
【００４９】
（機能制御部）
第１実施形態と同様、利用者Ｕ１がリードナレーション機能を利用して楽曲Ｘのカラオケ歌唱を行っているとする。そして、リードナレーション機能の実行中、１８：５０に携帯端末Ｍ１に上司Ｂ１から着信があったとする。この場合、機能制御部４００は、着信があった電話番号を、記憶部１０に記憶された着信対応情報のリストから特定する。機能制御部４００は、特定された電話番号に対応付けられた着信対応を参照する。ここで、図６の例によれば、上司Ｂ１の着信対応は、「１９：００以降、無視」である。この場合、現在時刻が１８：５０であるため、機能制御部４００は、着信対応を「優先」であると判断する。従って、機能制御部４００は、リードナレーション機能の実行を停止するよう実行部１００に指示を行う。
【００５０】
一方、リードナレーション機能の実行中、１９：０５に携帯端末Ｍ１に上司Ｂ２から着信があったとする。ここで、図６の例によれば、上司Ｂ２の着信対応は、「１９：００以降、無視」である。この場合、現在時刻が１９：０５であるため、機能制御部４００は、着信対応を「無視」であると判断する。従って、機能制御部４００は、実行部１００に対して特段の指示を行わない。実行部１００は、引き続きリードナレーション機能の実行を行う。
【００５１】
また、第１実施形態と同様、機能制御部４００は、リードナレーション機能の実行を停止する場合、カラオケ演奏を中止する指示を出力するよう演奏指示部３００を制御することも可能である。
【００５２】
＝＝携帯端末における処理について＝＝
次に、図７を参照して本実施形態に係る携帯端末Ｍ１における動作の具体例について述べる。図７は、携帯端末Ｍ１における動作例を示すフローチャートである。利用者Ｕ１が所有する携帯端末Ｍ１とカラオケ装置Ｋとはペアリングされており、互いに通信可能になっている。また、利用者Ｕ１は、楽曲Ｘのカラオケ歌唱を予約し、且つ携帯端末Ｍ１でリードナレーション機能の実行を選択したとする。また、以下の説明では、リードナレーション機能の実行を停止させる例について述べる。
【００５３】
カラオケ装置Ｋにおいて楽曲Ｘのカラオケ演奏が開始された後、実行部１００は、カラオケ装置Ｋ１から受信する歌詞音声データに基づいて、リードナレーション機能を実行する（リードナレーション機能の実行。ステップ２０）。実行部１００は、カラオケ演奏が終了するまで（ステップ２１でＹの場合）、歌詞音声データに基づくリードナレーション機能を実行する。
【００５４】
リードナレーション機能の実行中に携帯端末Ｍ１に着信があった場合（ステップ２２でＹの場合）、機能制御部４００は、着信を受けた電話番号に対応する電話番号を、記憶部１０に記憶された着信対応情報のリストから特定する。機能制御部４００は、特定された電話番号に対応付けられた着信対応を参照する（着信対応情報を参照。ステップ２３）。
【００５５】
着信対応が「優先」の場合（ステップ２４でＹの場合）、機能制御部４００は、リードナレーション機能の実行を停止するよう実行部１００に指示を行う（機能停止を指示。ステップ２５）。実行部１００は、当該指示に基づいてリードナレーション機能の実行を停止する（機能の停止。ステップ２６）。なお、カラオケ演奏が終了した場合（ステップ２１でＹの場合）にも、実行部１００はリードナレーション機能を停止する。
【００５６】
一方、着信対応が「無視」の場合（ステップ２４でＮの場合）、機能制御部４００は、当該「無視」の着信対応に対して、着信を受ける時刻が設定されているかどうかを確認する。着信を受ける時刻が設定されている場合（ステップ２７でＹの場合）、且つ現在時刻が、設定された着信を受ける時刻を経過していない場合（ステップ２８でＮの場合）、機能制御部４００は、リードナレーション機能の実行を停止するよう実行部１００に指示を行う（機能停止を指示。ステップ２５）。逆に、着信を受ける時刻が設定されていない場合（ステップ２７でＮの場合）、または現在時刻が、設定された着信を受ける時刻を経過している場合（ステップ２８でＹの場合）、機能制御部４００は、実行部１００に対して特段の指示を行わない。従って、実行部１００は、リードナレーション機能の実行を継続する。
【００５７】
以上から明らかなように、本実施形態に係る携帯端末Ｍ１における情報設定部２００は、着信を受ける時刻に応じて着信対応情報を設定することができる。このような携帯端末Ｍ１によれば、着信を受けるかどうかの設定を、ある相手から着信を受ける時刻を加味して行うことができる。
【００５８】
なお、上記例では電話番号毎に着信を受ける時刻を設定する例について述べたが、これに限られない。たとえば、電話番号に関わらず、１９：００以前は着信を受ける時刻とし、１９：００以降は着信を受けない時刻として設定してもよい。
【００５９】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６０】
１００  実行部
２００  情報設定部
３００  演奏指示部
４００  機能制御部
Ｋ  カラオケ装置
Ｍ１、Ｍ２  携帯端末
【図１】
2019174613.tif 000003
【図２】
2019174613.tif 000004
【図３】
2019174613.tif 000005
【図４】
2019174613.tif 000006
【図５】
2019174613.tif 000007
【図６】
2019174613.tif 000008
【図７】
2019174613.tif 000009